(57)【要約】【目的】  床面を傷つけることなく清掃できる清掃部材保持具及び清掃用具を提供する。【構成】  清掃用ハンドル２の下端に清掃部材取付体３を連設し、この清掃部材取付体３には清掃部材６の軸部７を装着する取付部８を設けた清掃部材保持具４である。更に、清掃用ハンドル２の軸方向下方に位置する取付体３の根元部１０の下端１０ａに対して、取付部８の下端８ａが、根元部１０の下端１０ａを通る軸方向の直交線上の上下近傍範囲内にある。且つ取付部８の下端８ａが清掃用ハンドル２の下端軸方向延長線に交差しない位置に存する。しかも、清掃用ハンドル２の下端の延長線と取付部８の下端８ａの下方向延長線との交差角が鋭角である。このような構成により、清掃時に清掃部材取付体３の下端が床面に当たらず、床面を傷付けることを防止できる。  【選択図】  図１
2005237599.tif 000002
【特許請求の範囲】
【請求項１】
清掃用ハンドルの下端に清掃部材取付体を連設し、この清掃部材取付体には清掃部材の軸部を装着する取付部を設けた清掃部材保持具において、前記清掃用ハンドルの軸方向下方に位置する前記取付体の根元部の下端に対して、前記取付部の下端が、前記根元部の下端を通る前記軸方向の直交線上の上下近傍範囲内にあり且つ前記取付部の下端が前記清掃用ハンドルの下端軸方向延長線に交差しない位置に存することを特徴とする清掃部材保持具。
【請求項２】
前記清掃用ハンドルの下端の延長線と前記取付部の下端の下方向延長線との交差角が鋭角である請求項１に記載の清掃部材保持具。
【請求項３】
前記清掃用ハンドルの下端の延長線と、前記取付部の下端の延長線との傾斜角度を鋭角の範囲内で調整可能とした請求項１又は２に記載の清掃部材保持具。
【請求項４】
前記清掃用ハンドルの下端に前記清掃部材取付体を着脱自在に取り付けられるようにした請求項１、２又は３に記載の清掃部材保持具。
【請求項５】
前記取付部に前記清掃部材の軸部が着脱自在に装着可能である請求項１〜４のいずれかに記載の清掃部材保持具。
【請求項６】
前記取付部には、その軸方向に前記軸部を挿入する孔部が形成され、この孔部内に雌ネジ部が設けられており、前記軸部には、前記取付部の雌ネジ部に着脱可能に螺着される雄ネジ部が設けられている請求項５に記載の清掃部材保持具。
【請求項７】
請求項１〜６のいずれかに記載の清掃部材保持具において、前記取付部の下端に装着される前記清掃部材の軸部に、払拭用の繊維体が設けられていることを特徴とする清掃用具
【請求項８】
前記払拭用の繊維体が、合成樹脂性の繊維体である請求項７に記載の清掃用具。
【発明の詳細な説明】
【技術分野】
【０００１】
本発明は、清掃部材保持具及び清掃用具に関し、更に詳細には、清掃するときに清掃部材保持具の下端が床等に当たることがなく、床等を傷つけることがない清掃部材保持具及び清掃用具に関するものである。
【背景技術】
【０００２】
特開２００１−２５８８１０号公報(特許文献1)により開示される従来技術を図９に示す。この従来技術は、モップを取り付けるヘッド５１と柄５２を備えており、ヘッド５１は弾性体状のモップ保持片５３と、このモップ保持片５３の一端から湾曲状に反転して一定長さ延びる腕部５５とを備え、全体として鉤状に形成されている。柄５２は、ジョイントキャップ５６を介して腕部５５の先端部に完全に固定されており、モップ保持片５３の基端部にはクランプ５８が設けられている。
【０００３】
クランプ５８はヒンジピン５７に回動可能に支持されると共にばねにより矢印Ｒ２方向に付勢され、モップＭの袋状挿入部６１をモップ保持片５３との間で狭持する。モップ保持片５３と柄５２とのなす角度θ２は、７０°程度に設定されており、柄５２を床面Ｆに対して垂直姿勢とした時に、モップ保持片５３が前下り姿勢となり、床面Ｆとの角度θ１が２０°程度となる。
【０００４】
このように、ヘッド５１を、湾曲状部分５５ａを介して鉤状に形成すると共に、柄５２とモップ保持片５３との角度θ２を、７０°程度に設定している。すると、柄５２を床面Ｆに対して垂直姿勢にして清掃する場合に、ヘッド５１の弾力を有効に利用して、モップＭの下面を一定の圧力で床面Ｆに接触させる。このことにより、一定押圧力を加えるから床面Ｆを綺麗に清掃することができる。
【０００５】
【特許文献１】２０００−２５８８１０号公報
【発明の開示】
【発明が解決しようとする課題】
【０００６】
ところが、床面Ｆを清掃する際に、柄５２を床面Ｆに対して押し付けると、モップ保持片５３が撓んで、傾斜状態から水平状態になり、換言すればθ１＝２０度からθ１＝０度へと変化する。このため、腕部５５の湾曲状部分５５ａ下端が床面Ｆに当たって床面Ｆを傷つけてしまう虞があるという問題があった。
【０００７】
本発明は、上記した従来の問題に鑑みてなされたものであって、清掃用具の清掃用ハンドルを床面に押し付け操作しても、清掃用具の構造体の下端が床面に当たることを防止できる構造にすることにより、床面を傷つけることなく清掃できる清掃部材保持具及び清掃用具を提供することを目的とするものである。
【課題を解決するための手段】
【０００８】
本発明は、上記課題を解決するために提案されたものであって、本発明の第１の形態は、清掃用ハンドルの下端に清掃部材取付体を連設し、この清掃部材取付体には清掃部材の軸部を装着する取付部を設けた清掃部材保持具において、前記清掃用ハンドルの軸方向下方に位置する前記取付体の根元部の下端に対して、前記取付部の下端が、前記根元部の下端を通る前記軸方向の直交線上の上下近傍範囲内にあり且つ前記取付部の下端が前記清掃用ハンドルの下端軸方向延長線に交差しない位置に存する清掃部材保持具である。
【０００９】
本発明の第２の形態は、前記清掃用ハンドルの下端の延長線と前記取付部の下端の下方向延長線との交差角が鋭角である清掃部材保持具である。
【００１０】
本発明の第３の形態は、前記清掃用ハンドルの下端の延長線と、前記取付部の下端の延長線との傾斜角度を鋭角の範囲内で調整可能とした清掃部材保持具である。
【００１１】
本発明の第４の形態は、前記清掃用ハンドルの下端に前記清掃部材取付体を着脱自在に取り付けられるようにした清掃部材保持具である。
【００１２】
本発明の第５の形態は、前記取付部に前記清掃部材の軸部が着脱自在に装着可能である清掃部材保持具である。
【００１３】
本発明の第６の形態は、前記取付部には、その軸方向に前記軸部を挿入する孔部が形成され、この孔部内に雌ネジ部が設けられており、前記軸部には、前記取付部の雌ネジ部に着脱可能に螺着される雄ネジ部が設けられている清掃部材保持具である。
【００１４】
本発明の第７の形態は、第１〜第６のいずれかの形態の清掃部材保持具において、前記取付部の下端に装着される前記清掃部材の軸部に、払拭用の繊維体が設けられている清掃用具である。
【００１５】
本発明の第８の形態は、前記払拭用の繊維体が、合成樹脂性の繊維体である清掃用具である。
【発明の効果】
【００１６】
本発明の第１の形態によれば、清掃用ハンドルの軸方向下方に位置する取付体の根元部の下端に対して、取付部の下端を通る軸方向の直交線上の上下近傍範囲内にある。このために、取付部の下端は常に清掃部材の軸部の上側に位置するので、清掃用ハンドルを床面に押し付け操作しても、取付部の下端が床面に当たることがない。このため、床面を傷つけることなく清掃できる。更に、取付部の下端が清掃用ハンドルの下端軸方向延長線に交差しない位置に存するので清掃部材をハンドルの下方位置に配置でき、ハンドルの下方部で床面を払拭でき、通常のモップの様に清掃操作することができる。また、前述のような非交差構造により、取付部の下端は、清掃部材の軸部の上側に位置することとなる。従って、床面を清掃する際に、取付部の下端が床面に当たることなく床面を傷つけることがない。清掃部材にはモップ等の繊維体、ブラシ状の清掃体、スポンジ状の清掃体、静電気や固定電荷(エレクトレット)等の繊維体などがある。
【００１７】
本発明の第２の形態によれば、清掃用ハンドルの下端の延長線と、取付部の下端の下方向延長線との交差角が鋭角であるので、清掃ハンドルを掴んで清掃する際に、取付部の下端は常に清掃部材の軸部の上側に位置する。このため、取付部の下端が常に床面の上側に位置することとなり、取付部の下端が床面に当たることがない。このため、より一層床面を傷つけることなく清掃できる。また、取付部下端が床面の上方に位置するから、清掃用ハンドルを斜めにした状態でも清掃でき、最も清掃し易い姿勢で清掃することができる。
【００１８】
本発明の第３の形態によれば、清掃用ハンドルの下端の延長線と、取付部の下端の延長線との傾斜角度を鋭角の範囲内で調整可能としたので、床面に凹凸部分や傾斜面がある場合、傾斜角度を調整して床面の状態に適合させて清掃できる。また、階段等の段差のある場所を清掃するときに、段差に合わせて前記傾斜角度を調整して清掃することができる。また、人の身長等の体格に合わせて前記傾斜角度を調整して最も適した傾斜角度にして床面を清掃できる。
【００１９】
本発明の第４の形態によれば、清掃部材取付体が破損等で支障が生じた場合に、清掃用ハンドルから清掃部材取付体を取り外して新品の清掃部材取付体と取り替えることができる。このため、清掃部材保持具のメンテナンスを支障なく簡単に行うことができる。
【００２０】
本発明の第５の形態によれば、清掃部材の軸部が取付部に対して着脱自在に装着できるので、清掃部材が清掃により汚れたときに、この清掃部材を新しい清掃部材に取り替えて使用することができる。特に、レンタルして使用する場合、メーカー側がこの清掃部材だけを定期的に取り替えて貸し出すことが容易にできて便利である。
【００２１】
本発明の第６の形態によれば、取付部の孔部に清掃部材の軸部を取り付ける際に、取付部の孔部内の雌ネジ部に軸部の雄ネジ部を螺合するだけて取り付けることができ、取り付け作業を簡単に行うことができる。また、清掃部材を取付部から取り外すときには、軸部を回すだけて軸部の雄ネジ部と取付部の雌ネジ部との螺合を解除して取り外すことができる。従って、軸部を有する清掃部材の取付部に対する着脱操作を簡単に行うことができる。
【００２２】
本発明の第７の形態によれば、清掃部材の軸部に、払拭用の繊維体が設けられているので、清掃するときに、この払拭用の繊維体で床面上のゴミなどを容易に除去して清掃することができる。繊維体には合成繊維や天然繊維からなるモップ繊維体、静電気や固定電荷（エレクトレット）による電気繊維体などが含まれる。
【００２３】
本発明の第８の形態によれば、払拭用の繊維体が合成樹脂性の繊維体であるので、この合成樹脂性の繊維体を床面に擦り付けることによって、静電気が発生する。この静電気で床面上のゴミなどが繊維体に付着するので、床面上のゴミなどを綺麗に清掃することができる。また、前記合成樹脂性の繊維体に加電（エレクトレット）した固定電荷繊維体を使用でき、この場合には摩擦による静電気は不要となり、季節に拘わらず固定電荷による清掃を行える。
【発明を実施するための最良の形態】
【００２４】
以下、本発明に係る清掃部材保持具及び清掃用具の実施形態を、添付する図１〜図８に基づいて詳細に説明する。
【００２５】
図１は本発明に係る清掃用具の実施形態の斜視図である。図１に示すように、この実施形態の清掃用具１は、清掃用ハンドル２の下端に略Ｚ字形状の清掃部材取付体３を設けた清掃部材保持具４が取り付けられている。この清掃部材保持具４の清掃部材取付体３には払拭用の繊維体５を有する清掃部材６の軸部７（図３、図４参照）が装着される取付部８が設けられている。
【００２６】
この取付部８の下端８ａは下側になるにつれ大径となるラッパ状に形成されている。清掃用ハンドル２の上端には手で握ったときにグリップ感のよい把手部９が設けられている。前記払拭用の繊維体５はパイルなどからなる繊維体を総称するが、本実施形態では、合成樹脂性の繊維体で形成されており、この繊維体は加電され、電気的引力で集塵する機能を有する。
【００２７】
図２は実施形態の清掃用具における清掃用ハンドルと取付体からなる清掃部材保持具の部分正面図である。図２に示すように、清掃用ハンドル２の軸方向下方に位置する清掃部材取付体３の根元部１０の下端１０ａに対して、取付部８の下端８ａが、根元部１０の下端１０ａを通る前記軸方向の直交線ｒ１の下方近傍範囲内にある。この近傍位置は一点鎖線で表す領域Ｔにより示されている。しかも、取付部８の下端８ａが清掃用ハンドル２の下端軸方向延長線ｒ２に交差しない位置に存している。しかも、清掃用ハンドル２の下端軸方向延長線ｒ２と取付部８の下端下方向延長線ｒ３との交差角θが鋭角に設定されている。
【００２８】
図３は実施形態の清掃用具における清掃部材保持具に清掃部材が取り付けられた状態の拡大正面図である。図３に示すように、清掃部材保持具４の取付体３の取付部８には、清掃部材６の軸部７が取り付けられている。この軸部７の下端の外周面には、払拭用の繊維体５が一体的に多数取り付けられている。また、清掃用ハンドル２の下端には、清掃部材保持具４の取付体３の根元部１０が挿入された状態で着脱自在に取り付けられている。（図４、図５参照）
【００２９】
図４は図３に示す清掃部材保持具と清掃部材を分解した状態の縦断面図である。図４に示すように、清掃用ハンドル２は筒状に形成されており、その下端に清掃部材保持具４の取付体３の根元部１０が挿入されている。また、取付体３の取付部８はその内側に孔部８ｂが形成された筒状に形成され、この孔部８ｂにおけるラッパ形状部分の内側に雌ネジ部８ｃが設けられている。一方、清掃部材６の軸部７の下側には、前記雌ネジ部８ｃに着脱可能に螺合する雄ネジ部７ａが設けられている。
【００３０】
清掃部材保持具４の取付体３の根元部１０と取付部８との間の本体部１１は平板状に形成されていて、この平板状の本体部１１の左側に根元部１０の下端
１０ａが取付固定され、右側に筒状の取付部８が取付固定されている。
【００３１】
図５は清掃用ハンドルと清掃部材取付体の取付状態を示す縦断面図である。図５に示すように、筒状の清掃用ハンドル２の下端には、清掃部材保持具４の清掃部材取付体３の根元部１０が着脱可能に装着されている。即ち、前記根元部１０は、上側部分が段差をもって小径に形成され且つその内部に孔部１０ｂを有する筒状に形成されている。
【００３２】
更に、この孔部１０ｂには、上端から着脱片１０ｃが挿着されていて、この着脱片１０ｃの上側固定部１０ｄが孔部１０ｂに固定状態で挿入されている。更に、この着脱片１０ｃの下側片１０ｅは筒状の清掃用ハンドル２の内側面に沿うように屈曲形成されていて、その下端に設けられた押しボタン部１０ｆが清掃用ハンドル２の下端近傍に穿設された穴部２ａに入り込んで係合している。
【００３３】
従って、この押しボタン部１０ｆを外側から押し込んで清掃用ハンドル２の下端近傍の穴部２ａとの係合を解除することによって、根元部１０を筒状の清掃用ハンドル２の下端から下向きに抜き出して取り外すことができるようになっている。また、清掃用ハンドル２に根元部１０を挿着するには、押しボタン部１０ｆを押し込んだ状態で、根元部１０の上側部分を筒状の清掃用ハンドル２の下端に押し込む。
【００３４】
次に、清掃用ハンドル２の穴部２ａと押しボタン部１０ｆの位置が合致すると、押しボタン部１０ｆが弾性復帰して穴部２ａに入り込んで係合して抜け止めされる。このことによって、清掃部材２の下端に根元部１０の上側部分が着脱可能に装着される。
【００３５】
図６は実施形態の清掃用具で床面を清掃している状態を示す斜視図である。図６に示すように、清掃する人が清掃用ハンドル２の把手部９を持って、床面Ｒに清掃部材６の払拭用の繊維体５を押し付けて掃くことによって、床面Ｒ上のゴミを清掃する。このとき、清掃部材保持具４の清掃部材取付体３の取付部８の下端が床面Ｒに当たることなく清掃することができる。
【００３６】
即ち、清掃用ハンドル２の軸方向下方に位置する清掃部材取付体３の根元部１０の下端１０ａに対して、取付部８の下端８ａが、根元部１０の下端１０ａを通る前記軸方向の直交線ｒ１の下方近傍範囲Ｔ内にある。しかも、取付部８の下端８ａが清掃用ハンドル２の下端軸方向延長線ｒ２に交差しない位置に存している。しかも、清掃用ハンドル２の下端軸方向延長線ｒ２と取付部８の下端下方向延長線ｒ３との交差角θが鋭角になっている（図２参照）。
【００３７】
従って、床面Ｒを清掃する際に、清掃用ハンドル２を床面Ｒに押し付ける方向に押し操作しても、取付部８の下端８ａが床面Ｒに当たることなく床面Ｒを傷つけることがない。また、清掃用ハンドル２を斜めにした状態でも清掃できるので、最も清掃を行い易い姿勢で清掃できる。
【００３８】
また、取付体３の取付部８はその内側に孔部８ｂが形成された筒状に形成され、この孔部８ｂにおけるラッパ形状部分の内側に雌ネジ部８ｃが設けられている。一方、清掃部材６の軸部７の下側には、前記雌ネジ部８ｃに着脱可能に螺合する雄ネジ部７ａが設けられている（図４参照）。このため、雌ネジ部８ｃに雄ネジ部７ａを螺合するだけで、取付体３の取付部８に清掃部材６の軸部７を簡単に取り付けることができる。
【００３９】
しかも、各ネジ部８ｃ、７ａの螺合を解除するだけで、清掃部材６の軸部７を取付体３の取付部８から簡単に取り外すことができる。従って、メーカー側がユーザー側にレンタルする場合には、使用後の清掃部材６だけを取付体３の取付部８から取り外し、新品の清掃部材６に交換する。このようにして、メーカー側がこの清掃部材６を新しいものに取り替えるだけでユーザーに対して効率的にレンタルすることができる。
【００４０】
更に、取付体３の根元部１０の押しボタン１０ｆを筒状の清掃用ハンドル２の下端の孔部１０ｂに押し込むだけでこの根元部１０を着脱可能に取り外すことができる（図５参照）。このため、取付体３に傷が付いたり取付体３が破損したりしたときに、この取付体３を簡単に取り替えることができ、メンテナンスが行い易い。
【００４１】
また、清掃部材６の軸部７に一体に取り付けられる払拭用の繊維体５を合成樹脂性の繊維体で形成する場合には、繊維体に静電気を生起させる方式と繊維体に電荷（エレクトレット）を固定する方式がある。静電気方式では、繊維体５を床面Ｒに擦り付けると静電気が発生し、この静電気によって、床面Ｒ上のダストが繊維体５に付着するので、床面Ｒを綺麗に清掃できる。また、合成樹脂性の繊維体５に電荷を固定する方式では、固定された電気で床面Ｒ上のダストが付着して清掃できる。特に固定電荷方式では、静電気が発生し難い夏期や湿度の高い季節でも、常に電荷が安定して存在するから、一年を通して清掃効率を上げることができる。
【００４２】
図７は別例の清掃用具における清掃部材保持具の根元部と本体部との取付状態を示す部分拡大正面図である。図７に示すように、この別例の清掃用具１Ａは、清掃部材保持具４における清掃部材取付体３の根元部１０の斜め右下側に、円弧溝１０ｇが設けられている。更に、この円弧溝１０ｇから外向きに３列の係止溝１０ｈ、１０ｉ、１０ｋが設けられている。
【００４３】
この円弧溝１０ｇには、清掃部材取付体３の本体部１１の表面から突設されたピン１１ａが外向きに配設されている。尚、清掃部材取付体３の根元部１０の下端側の軸孔１０ｍには、本体部１１の軸部１１ｂが回動可能に軸入されていて、本体部１１が根元部１０に対して回動可能な状態で取り付けられている。
【００４４】
図７の状態では、本体部１１のピン１１ａが根元部１０の円弧溝１０ｇに連なる最も右寄りの係止溝１０ｈに係止されている。この状態では、交差角θ（図２参照）は狭い鋭角となっている。この状態で、床面Ｒを清掃しても床面Ｒに清掃部材取付体３の取付部８の下端は床面に当たることがなく、床面Ｒに傷を付けることがない。
【００４５】
図８は図７の状態から清掃部材保持具の本体部を下向きに回動して傾斜角度を変えた状態の部分拡大正面図である。図８に示すように、図７の状態から清掃部材取付体３の本体部１１のピン１１ａを一端円弧溝１０ｇ内に入り込ませて、この状態で図にて左側に移動させる。その後に、ピン１１ａを左側の係止溝１０ｋに係止させる。この状態では、交差角θは広くなり、本体部１１は斜め下向きになって、取付部８は傾きが緩やかな斜め下向きとなる。この状態で清掃しても、床面Ｒに取付部８の下端８ａが床面Ｒに当たることなく、床面Ｒを傷つけることがない。
【００４６】
このようにして、交差角θを変えて取付部８の傾斜角度を調整することによって、床面Ｒに凹凸部分や傾斜面がある場合に、床面Ｒの状態に適合させて清掃できる。また、階段等の段差のある場所を清掃するときに、段差に合わせて取付部８の傾斜角度を調整して段差に合わせて清掃することができる。しかも、人の身長等の体格に合わせて取付部８の傾斜角度を調整して最も適した傾斜角度にして清掃できる。
【００４７】
尚、傾斜角度を調整する手段は、上記したものに限らず、例えば、ラチェット機構を組み付けたり、連続回動させて締付固定するなどして傾斜角度を調整することも可能である。
【００４８】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００４９】
本発明に係る清掃部材保持具及び清掃用具は、家庭用として使用するだけでなく、店舗内や会社及び工場等の事務所内で使用できる。また、清掃部材を清掃部材取付体の取付部から着脱して、この清掃部材を定期的に取り替えるようにすることによって、レンタル用としても使用可能である。
【図面の簡単な説明】
【００５０】
【図１】本発明に係る清掃用具の実施形態の斜視図である。
【図２】実施形態の清掃用具における清掃用ハンドルと取付体からなる清掃部材保持具の部分正面図である。
【図３】実施形態の清掃用具における清掃部材保持具に清掃部材が取り付けられた状態の拡大正面図である。
【図４】図３に示す清掃部材保持具と清掃部材を分解した状態の縦断面図である。
【図５】清掃用ハンドルと清掃部材取付体の取付状態を示す縦断面図である。
【図６】実施形態の清掃用具で床面を清掃している状態を示す斜視図である。
【図７】別例の清掃用具における清掃部材保持具の根元部と本体部との取付状態を示す部分拡大正面図である。
【図８】図７の状態から清掃部材保持具の本体部を下向きに回動して傾斜角度を変えた状態の部分拡大正面図である。
【図９】従来の清掃部材の一部断面正面図である。
【符号の説明】
【００５１】
Ｒ      床面
ｒ１    軸方向の直交線
ｒ２    下端軸方向延長線
ｒ３    下端下方向延長線
θ      交差角
１      清掃用具
１Ａ    清掃用具
２      清掃用ハンドル
２ａ    穴部
３      清掃部材取付体
４      清掃部材保持具
５      繊維体
６      清掃部材
７      軸部
７ａ    雄ネジ部
８      取付部
８ａ    下端
８ｂ    孔部
８ｃ    雌ネジ部
９      把手部
１０    根元部
１０ａ  下端
１０ｂ  孔部
１０ｃ  着脱片
１０ｄ  上側固定部
１０ｅ  下側片
１０ｆ  押しボタン部
１０ｇ  円弧溝
１０ｈ  係止溝
１０ｉ  係止溝
１０ｋ  係止溝
１０ｍ  軸孔
１１    本体部
１１ａ  ピン
１１ｂ  軸部
【図１】
2005237599.tif 000003
【図２】
2005237599.tif 000004
【図３】
2005237599.tif 000005
【図４】
2005237599.tif 000006
【図５】
2005237599.tif 000007
【図６】
2005237599.tif 000008
【図７】
2005237599.tif 000009
【図８】
2005237599.tif 000010
【図９】
2005237599.tif 000011